(57)【特許請求の範囲】
【請求項１】
桁をコ字形又は矩形に接続してなる枠体を束の上端部に接続して支持構造体を構成し、複数の根太の上面に複数のデッキ材を固着してなるデッキパネルを、前記支持構造体の枠体の中にその上方から嵌合載置して固定する濡縁等のデッキパネルの固定装置において、
前記根太の長手方向端部下面に固定金具を締着手段により揺動自在に保持し、前記デッキパネルを前記枠体の中に嵌合し、前記桁に設けてある根太支持部に載置した後、前記締着手段で前記固定金具を締付けて、前記根太支持部を前記固定金具と前記根太の下面との間に挟持して前記デッキパネルを前記枠体に固定することを特徴とする濡縁等のデッキパネルの固定装置。
【請求項２】
支持構造体の枠体は前桁と左右の側桁とをコ字形に接続してなり、その枠体の開口側端部を建物躯体に当てて束を地面の所定位置に立設し、前記左右の側桁の開口側端部の間において屋外方向に開口する嵌合溝を有する根太掛けを前記建物躯体に固定し、デッキパネルの根太の建物躯体側端部を前記根太掛けの嵌合溝に嵌合し、前記デッキパネルを前記枠体の中に嵌合して、前記根太の建物躯体と反対側の端部を前記前桁の根太支持部に載置し、締着手段で固定金具を締付けて前記前桁の根太支持部を前記固定金具と前記根太の下面との間に挟持して前記デッキパネルを前記根太掛けと前記前桁に固定することを特徴とする請求項１に記載された濡縁等のデッキパネルの固定装置。
【請求項３】
支持構造体の枠体は前後の桁と左右の側桁とを矩形に接続してなり、デッキパネルを前記枠体の中に嵌合して、前記デッキパネルの根太の長手方向両端部を前記前後の桁の根太支持部に載置し、締着手段で固定金具を締付けて前記前後の桁の根太支持部を前記固定金具と前記根太の下面との間に挟持して、前記デッキパネルを前記前後の桁に固定することを特徴とする請求項１に記載された濡縁等のデッキパネルの固定装置。
【請求項４】
根太はその下面及び長手方向端面に開口するあり溝を有し、締着手段は、頭が前記根太のあり溝に摺動自在に挿通され、軸部が下方に突出するボルトと、そのボルトの軸部が固定金具の孔に貫通された後に、そのボルトの軸部にねじ合わされる蝶ナットとからなることを特徴とする請求項１、２又は３に記載された濡縁等のデッキパネルの固定装置。
【発明の詳細な説明】
【０００１】
【発明の属する技術分野】
本発明は、濡縁等のデッキパネルを支持構造体に固定する装置に関するものであり、さらに詳しくは、根太の上面にデッキ材を固着してなるデッキパネルを、束とその束の上端部に接続された枠体とからなる支持構造体に固定するものに関する。
【０００２】
【従来の技術】
濡縁には、それぞれ独立の構成部材を現場施工により所定の順序で相互に接続して作られるものと、構成部材のいくつかを工場等で予め組立て、施工現場でそれらの組立体を接続して作られるものとがある。前者は、現場での施工に時間がかかるので、最近の設置例は、大部分が後者である。
後者の現場組立て型の濡縁には、工場において予め、地面に立設される束と、その束の上端部に接続される枠体とを予め接続して支持構造体を組立てるとともに、複数の根太の上面に複数のデッキ材を固着してデッキパネルを組立て、施工現場では、支持構造体を地面に設置し、その支持構造体の枠体にデッキパネルを嵌合載置して、ねじ止めなどにより固定して構成されるものがある。
【０００３】
【発明が解決しようとする課題】
従来の現場組立て型の濡縁は、とくに、デッキパネルの一辺を建物躯体の壁面に接触して取付けられる壁面タイプの濡縁の場合は、デッキパネルの根太の一端部を、建物躯体に固定された根太掛けに載置して、デッキ材の間の小さな隙間からドライバを差し込んで、ねじを根太掛けにねじ込むことによりデッキパネルを固定するので、固定作業が不安定で容易でなく、作業者を疲労させる。また、ねじ締めが不完全になる恐れもある。さらに、根太掛けに対するねじ止め作業を可能にするため、デッキ材は建物の壁面に直角な方向に長いものしか用いることができないため、濡縁の外観は趣向、変化に乏しいものであった。デッキ材を建物の壁面と平行な状態で取付ける場合は、デッキパネルの下側に作業者が潜り込んで固定作業をしなければならず、非常に面倒である。
【０００４】
本発明は、上記の点に鑑みてなされたものであり、その課題は、支持構造体にデッキパネルを載置して固定する現場組立て型の濡縁において、デッキパネルの固定作業を簡単迅速に行うことができる濡縁等のデッキパネルの固定装置を提供することにある。
【０００５】
【課題を解決するための手段】
上記課題を解決するため、本発明は、桁をコ字形又は矩形に接続してなる枠体を束の上端部に接続して支持構造体を構成し、複数の根太の上面に複数のデッキ材を固着してなるデッキパネルを、前記支持構造体の枠体の中にその上方から嵌合載置して固定する濡縁等のデッキパネルの固定装置において、根太の長手方向端部下面に固定金具を締着手段により揺動自在に保持し、デッキパネルを枠体の中に嵌合し、前記桁に設けてある根太支持部に載置した後、締着手段で固定金具を締付けて、根太支持部を固定金具と根太の下面との間に挟持してデッキパネルを枠体に固定することを特徴としている。
上記構成において、根太の長手方向端部下面に固定金具を締着手段により揺動自在に保持してあるので、支持構造体を地面に設置し、デッキパネルを枠体に嵌合載置した後、手をデッキパネルの下方に延ばして締着手段を簡単に操作して、桁の根太支持部を固定金具と根太の下面の間に締着してデッキパネルを支持構造体に固定することができる。
【０００６】
根太に、その下面及び長手方向端面に開口するあり溝を設け、締着手段を、頭が前記根太のあり溝に摺動自在に挿通され軸部が下方に突出するボルトと、そのボルトの軸部が固定金具の孔に貫通された後に、そのボルトの軸部にねじ合わされる蝶ナットとで構成した場合は、濡縁を組立てる時は、蝶ナットを緩めておいて、固定金具がデッキパネルの嵌合載置の障害とならない位置に容易に保持することができ、デッキパネルの枠体への嵌合載置の後は、蝶ナットをデッキパネルの下方で簡単な作業で容易に締め付けることができる。
【０００７】
【発明の実施の形態】
次に、本発明の実施の形態を図示する実施例について説明する。
図１は、２種類の濡縁、すなわち、壁面タイプの濡縁と独立タイプの濡縁の平面図、図２は図１のＡ−Ａ線に沿った一部省略断面図、図３は図１のＢ−Ｂ線に沿った一部省略断面図、図４は図３のＤ−Ｄ線断面図、図５はデッキパネルに固定金具を取付ける構造を説明する斜視図、図６は図５の一部の拡大図、図７は壁面タイプの濡縁の場合のデッキパネルの固定手順を示す説明図、図８は図７の楕円部の拡大図である。
【０００８】
図１の壁面タイプの濡縁Ｘと独立タイプの濡縁Ｙは、いずれも現場組立て型の濡縁である。その基本的構造を説明すると、濡縁は、それぞれ工場などで予め組立てられる支持構造体１と、デッキパネル２とから構成されている。
支持構造体１は、地面に立設される束３の上端部に所要数の桁（４にアルファベット文字を付加した符号で示されている。特定の桁を指称しない場合は、代表符号として４を用いる。）を所定形態に結合してなる枠体５を接続して構成されている。また、デッキパネル２は、複数本の平行に配置された根太６の上面に複数枚のデッキ材７を固着してなるものであり、支持構造体１の枠体５の中に嵌合して、桁４の内面に形成してある根太支持部に載置され、後述される固定装置により固定されるようになっている。
【０００９】
壁面タイプの濡縁Ｘの場合は、図１（ａ）に示すように、支持構造体１は、建物躯体の壁面Ｗから離れた位置に束３を有し、枠体５Ｘは、束３の間を延長する前桁４ａと、前桁４ａの長手方向端部から壁面Ｗ側に延長する側桁４ｂ，４ｃとをコ字形に接続して構成されている。
これに対して、独立タイプの濡縁Ｙの場合は、図１（ｂ）に示すように、支持構造体１は、建物躯体の位置とは無関係に、複数対の束３を隔てた位置に有し、枠体５Ｙは、それぞれ同一側の束３の間を延長する前桁４ａ及び後桁４ｄの長手方向端部を左右の側桁４ｂ，４ｃで結合して矩形に形成されている。
【００１０】
そして、各桁４ａ〜４ｄは、図２〜図４に示すように、すべて同一の構造、断面形状を有し、アルミニウム合金などの形材で作られ、その内面下部に内側に突出する中空状の束接続部４１、その束接続部の上面に形成された根太支持部４２を有するほか、束接続部４１の上方及び下方に形成された鼻隠し接続部４３，４４を有している。束接続部４１には、隣接する桁の端部同志をタッピングビスｂ１（図４参照）により接続するためのビスホールｈが形成されている。
そして、コ字形に接続された枠体５Ｘ、矩形に接続された枠体５Ｙのいずれにおいても、各桁の根太支持部４２の上面が共通の平面上に存在している。その根太支持部４２は、その平面に沿って内方に突出する薄板状の係止縁４２ａを有している。この係止縁４２ａは、後述するように、束３が桁４に接続される時の束の上端部を位置決めし、かつ、停止する機能を有し、かつ、後述するように、桁でデッキパネルの根太を固定する機能を有する。
【００１１】
さらに、各桁４には、図２〜４に示されているように、その外面に後述されるデッキパネル２の外周辺及び桁を隠蔽する鼻隠し８が、前記上下の鼻隠し接続部４３，４４において接続されている。鼻隠し８は、断面輪郭が縦長方形の中空樹脂形材で作られて、木調の色彩又は色彩と模様を有する外部材８１の中に、アルミニウム合金などの中空金属形材で作られて、所要の強度を有する、外部材８１と等長の内部材８２を遊びのない状態に挿入して構成されている。そして、鼻隠し８は、桁４の外面に当接し、その桁の内面側から鼻隠し接続部４３，４４に貫通するビスｂ２を内部材８２までねじ込むことにより、桁４の外面に木調の鼻隠しが一体的に接続されている。
【００１２】
枠体５Ｘ又は５Ｙの束３の上端部に対する接続は、次のようにして行われている。すなわち、桁４の束接続部４１には、桁の長手方向両端部及び内面に開口するあり溝４５が形成してあり、壁面タイプの濡縁Ｘの場合は、図２に示すように、前桁４ａのあり溝４５に頭部を挿入されたボルト９をあり溝４５に長手方向に所定位置まで移動し、そのボルトの軸部を束３の上端部付近にその束を直交する方向に設けてある孔に貫通し、束３の反対側に突出したボルト９にナット１０を締結している。
【００１３】
独立タイプの濡縁Ｙの場合も、壁面タイプの濡縁Ｘの場合と同様の束と桁との接続構造を用いることもできるが、図３及び図４に示す例では、薄い平金属板を平面図形ほぼ凹字形に屈曲して形成した連結金具１１の中央凹部で束３の３つの面を包囲し、連結金具１１の両側部分を桁４ａ及び４ｄの内面に当接し、中央凹部からはタッピングねじ１２を束にねじ込み、さらに桁４ａ及び４ｄのあり溝４５に、壁面タイプの濡縁Ｘの場合と同様に、頭部を挿入したボルト９´を連結金具１１の両側部分に貫通し、そのボルトの先端にナット１０´を締結することにより、壁面タイプの濡縁Ｘの場合よりも大きい強度で束３と桁４ａ，４ｄを接続してある。
なお、図３及び図４において、１３は前後の束３を連結する補強部材である。図４は図３のＤ−Ｄ線に沿った断面図であるが、図２のＣ−Ｃ線に沿った断面図は、図４の連結金具１１、ボルトナット９´，１０´及び補強部材１３を取り除いたものと同一となる。
【００１４】
次に、上記支持構造体１に取付けられるデッキパネル２の構成の詳細を説明する。
デッキ材７は、図２及び図３に示されるように、所要の強度を備えたアルミニウム合金などの金属形材で作られた本体７１に、その本体の少なくとも上面及び幅方向両端部を被覆する、樹脂形材で作られた被覆材７２を嵌合被覆してなるものである。被覆材７２は鼻隠し８と調和する木調の色彩又は色彩と模様を有する。デッキ材７を固着する根太６の下面には、図４、図５及び図６に示すように、その長手方向及び下面に開口するあり溝６１が形成してある。そして、あり溝６１に頭が摺動自在に挿入されたボルト１４の軸部をあり溝６１の外側に突出させ、そのボルトを固定金具１５の孔１５１に貫通し、さらにそのボルト１４に平ワッシャ１６を装着した後、蝶ナット１７を装着することにより、固定金具１５が根太６にその長手方向に摺動自在にかつ揺動自在に取付けられている。固定金具１５は、短冊状に形成され、その一方の半分側に寄せた位置に孔１５１が設けてあり、さらに同一側の端部に突起１５２が設けてある。固定金具１５はボルト１４の軸部回りに回転可能であっても良い。
【００１５】
上記固定金具１５は、壁面タイプの濡縁Ｘの場合は、図２及び図５に示すように、複数の根太６の壁面Ｗから遠い側の端部付近に蝶ナット１７を弱く締めることにより仮止めされている。すべての根太６に固定金具１５を取付けても良いが、デッキパネル２の支持構造体１に対する所要の固定強度を確保するためには、少なくとも、図５に示すように、デッキパネル２に対してバランスの取れた位置にある複数の根太６に取付ければ良い。なお、図５及び図６において、１７は各根太の両端部の下面に固着された合成ゴム等の弾性材料で作られた滑り止め部材である。
【００１６】
このようにして固定金具１５が装着されたデッキパネル２を支持構造体１に固定する手順を、壁面タイプの濡縁Ｘの場合について図７を参照して説明する。
まず、壁面Ｗの濡縁Ｘ取付位置において、根太掛け１８をねじ１９等により固定する。そして、その根太掛けが支持構造体の側桁４ｂ，４ｃの端部間に位置するように、支持構造体１を地面に設置する（図７（ａ））。この根太掛け１８との組合わせにより、桁４ａ〜４ｃが形成しているコ字形の枠体が矩形の枠体になる。
根太掛け１８は、断面形状がほぼコ字形に形成され、その上辺１８１と下辺１８２の間の嵌合部１８３には、枠体５Ｘの内側にデッキパネル２を嵌合する際に、根太６の長手方向端部を遊びなく嵌合することができる。また、下辺１８２の内側端部付近にストッパ１８４が突設されている。
【００１７】
次いで、デッキパネル２を持ち上げ、図７（ｂ）に示すように、その壁面側端部を先に側桁４ｂ，４ｃの端部付近の間に下ろして、根太６の長手方向端部を根太掛け１８に嵌合する。この時、壁面側のデッキ材の端部が、根太よりも僅かに外側に張り出しているが、デッキ材７が壁面に接触する前に、根太６の端部がストッパ１８４により停止される。続いて、デッキパネル２の反対側端部を下ろしてデッキパネル２を枠体５Ｘの中に嵌合し、両端部の根太を側桁４ｂ，４ｃの根太支持部４２に、また中間の根太の端部を前桁４ａの根太支持部４２にそれぞれ載置する。この時は、固定金具１５は蝶ナット１７を介して根太の端部からやや中央側に寄った位置に仮止めされているので、固定金具１５は、少なくともその先端が前桁４ａの係止縁４２ａに接触することなく、係止縁４２ａよりも下方まで下がる（図７（ｃ））。
【００１８】
この状態の時に、図７（ｃ）に示すように、各桁４とこれに隣接するデッキ部材７の間、及び、壁面Ｗとこれに隣接するデッキ部材７の間に、合成ゴム等の弾性材料で作られた間隙調整部品２０を詰め込んで、デッキパネル２の枠体５Ｘに対する移動を阻止し、かつ、デッキパネル周辺に不揃いな隙間が露見して、濡縁の外観が低下するのを防止する。
【００１９】
そして最後に、前桁４ａの外側下方から手を根太６の端部に延ばし、図８にも示すように、固定金具１５の先端が束接続部４１に当たるまで又はその付近まで、蝶ナット１７を手前（前桁４ａ方向）に引き寄せて、固定金具１５の先端を根太支持部の係止縁４２ａの下方まで移動させ、蝶ナット１７をしっかり締める。これにより、係止縁４２ａは固定金具１５と根太６の下面の間に強く挟持される（図７（ｄ））。固定金具１５に突起５１２が設けてある場合は、この蝶ナットの締付けの際に、固定金具に梃の作用をさせるので、より強い挟持力が得られる。こうして、デッキパネル２は、支持構造体１に堅固に固定される。
【００２０】
独立タイプの濡縁Ｙの場合は、図１（ｂ）及び図３に示すように、支持構造体１が、相対する両側に束３と前桁４ａ及び後桁４ｄを有するので、デッキパネル２の根太６には、その両端部に固定金具１５と蝶ナット１７が装着される。そして、地面に支持構造体１を設置した後、デッキパネル２を水平状態で矩形の枠体５Ｙの中に下ろして嵌合し、各桁の根太支持部４２に載置して、各桁４とデッキ材７の間に間隙調整部品２０を詰め込んだ後、蝶ナット１７により仮止めされていた固定金具１５を各桁側に移動し、蝶ナット１７を強く締付けることにより、図３に示されるように、デッキパネル２の根太６を前桁４ａと後桁４ｄにしっかり固定することができる。すなわち、デッキパネル２を支持構造体１に堅固に固定することができる。
【００２１】
上には、濡縁のデッキパネル２を支持構造体１に固定する例について説明したが、本発明は、濡縁に限らず、根太にデッキ材を接続してなるデッキパネルを用いるカーデンデッキ、その他の類似物の支持構造体に固定する場合に遍く適用することができる。
【００２２】
【発明の効果】
上述のように、本発明によれば、デッキパネルを支持構造物の枠体に嵌合載置して、桁の下方に手を延ばして根太の端部に備えてある締着手段により固定金具を締着するだけで固定できるので、デッキパネルの固定作業を簡単迅速に行うことができる。そして、デッキ材の取付け方向が制約を受けないので、濡縁等の外観体裁を任意に決定することができる。
【図面の簡単な説明】
【図１】濡縁の二つのタイプを示す平面図。
【図２】図１のＡ−Ａ線に沿った一部省略断面図。
【図３】図１のＢ−Ｂ線に沿った一部省略断面図。
【図４】図３のＤ−Ｄ線断面図。
【図５】デッキパネルに固定金具を取付ける構造を説明する斜視図。
【図６】図５の一部の拡大図。
【図７】壁面タイプの濡縁の場合のデッキパネルの取付け手順を示す説明図。
【図８】図７（ｃ）の楕円部の拡大図。
【符号の説明】
１              支持構造体
２              デッキパネル
３              束
４，４ａ〜４ｄ  桁
５Ｘ，５Ｙ      枠体
６              根太
７              デッキ材
８              鼻隠し
９．１０；９´，１０´  ボルトナット
１４            ボルト
１５            固定金具
１７            蝶ナット
１８            根太掛け
【図１】
0003809071.tif 000002
【図２】
0003809071.tif 000003
【図３】
0003809071.tif 000004
【図４】
0003809071.tif 000005
【図５】
0003809071.tif 000006
【図６】
0003809071.tif 000007
【図７】
0003809071.tif 000008
【図８】
0003809071.tif 000009